【事件の表示】
　特願２００３−５４５０１０「色変換プログラムを記録したコンピュータ読み取り可能な記録媒体、色変換テーブルデータを記録したコンピュータ読み取り可能な記録媒体、色変換装置、色変換方法、色変換プログラムおよび色変換テーブル」拒絶査定不服審判事件〔平成１５年　５月２２日国際公開、ＷＯ０３／４３３０６〕について、次のとおり審決する。
【結　論】
　本件審判の請求は，成り立たない。
【理　由】
第１　手続きの経緯
　本願は，平成１４年１１月１２日（優先権主張平成１３年１１月１３日，平成１４年１月１０日）を国際出願日とする出願であって，平成１９年１２月２７日付けで拒絶理由が通知され，これに対して平成２０年２月２９日に意見書が提出されるとともに，同日付けで手続補正がなされたところ，平成２０年４月９日付けで拒絶理由が通知され，これに対して平成２０年６月１６日に意見書が提出されるとともに，同日付けで手続補正がなされたところ，平成２０年１０月８日付けで平成２０年６月１６日付けの手続補正が却下されるとともに，同日付けで拒絶査定がされ，これに対して平成２０年１１月１４日に拒絶査定に対する審判請求がなされるとともに，平成２０年１１月２１日付けで手続補正がなされたものである。
　
第２　補正却下の決定
１　補正却下の決定の結論
　平成２０年１１月２１日付けの手続補正を却下する。
　
２　理由
（１）本件補正前の特許請求の範囲
　平成２０年６月１６日付け手続補正書は，平成２０年１０月８日付けで却下されているから，本件補正前の特許請求の範囲の請求項の記載は，平成２０年２月２９日付け手続補正書により補正されたとおりのものであって，次のとおりである。
　
「【請求項１】　第１の画像機器で使用される第１カラー画像データと第２の画像機器で使用される第２カラー画像データとの対応関係を規定した各参照点における変換後の階調データを有する色変換テーブルを所定の記憶領域に予め記憶しておき，同色変換テーブルを参照して色変換を実行する色変換機能をコンピュータに実現させる色変換プログラムを記録したコンピュータ読み取り可能な記録媒体であって，
　上記色変換機能は，上記第１カラー画像データと上記第２カラー画像データとを対応づける領域を色空間内の所定領域に限定することにより，当該領域の範囲で上記各参照点における変換後の階調データの階調数を増加させた色変換テーブルを参照して色変換を実行することを特徴とする色変換プログラムを記録したコンピュータ読み取り可能な記録媒体。
【請求項２】　第１の画像機器の色データと第２の画像機器の色データとを複数の参照点について対応づけて各参照点における変換後の階調データを有するとともに所定の総情報量からなる色変換テーブルを参照して同第１の画像機器で使用される第１カラー画像データを同第２の画像機器で使用される第２カラー画像データに変換する色変換機能をコンピュータに実現させる色変換プログラムを記録したコンピュータ読み取り可能な記録媒体であって，
　上記色変換機能は，所定の色空間内の所定領域に上記参照点を分布させることによって上記所定の総情報量の限度内で上記各参照点における変換後の階調データの階調数を増加させた色変換テーブルを参照して色変換を実行することを特徴とする色変換プログラムを記録したコンピュータ読み取り可能な記録媒体。
【請求項３】　上記色空間内の所定領域は，グレー軸を含む所定モノクロ領域であることを特徴とする上記請求項１または請求項２に記載の色変換プログラムを記録したコンピュータ読み取り可能な記録媒体。
【請求項４】　上記色空間内の所定領域は，肌色を含んだ領域であることを特徴とする上記請求項１または請求項２に記載の色変換プログラムを記録したコンピュータ読み取り可能な記録媒体。
【請求項５】　上記色空間内の所定領域は，青色を含んだ領域であることを特徴とする上記請求項１または請求項２に記載の色変換プログラムを記録したコンピュータ読み取り可能な記録媒体。
【請求項６】　上記参照点は，所定の色空間内の所定軸周りに数個〜十数個分布することを特徴とする上記請求項１〜請求項５のいずれか一項に記載の色変換プログラムを記録したコンピュータ読み取り可能な記録媒体。
【請求項７】　上記参照点は，所定の色空間内の所定軸から所定階調値以内に分布することを特徴とする上記請求項１〜請求項６のいずれか一項に記載の色変換プログラムを記録したコンピュータ読み取り可能な記録媒体。
【請求項８】　上記参照点は，所定の色空間内を分割して形成した立方格子点について上記所定領域以外の格子点を間引いて形成されることを特徴とする上記請求項１〜請求項７のいずれか一項に記載の色変換プログラムを記録したコンピュータ読み取り可能な記録媒体。
【請求項９】　上記参照点は，所定の色空間内の明度によって分布密度が変化することを特徴とする上記請求項１〜請求項８のいずれか一項に記載の色変換プログラムを記録したコンピュータ読み取り可能な記録媒体。
【請求項１０】　上記第１カラー画像データおよび第２カラー画像データは色成分の階調値データを含んでおり，当該第１カラー画像データと第２カラー画像データとのいずれかまたは双方は２５６階調より大きな階調値域を有することを特徴とする上記請求項１〜請求項９のいずれか一項に記載の色変換プログラムを記録したコンピュータ読み取り可能な記録媒体。
【請求項１１】　上記第２の画像機器は印刷装置であり，上記第２カラー画像データは当該印刷装置におけるインク吐出量を規定するデータであることを特徴とする上記請求項１〜請求項１０のいずれか一項に記載の色変換プログラムを記録したコンピュータ読み取り可能な記録媒体。
【請求項１２】　第１の画像機器で使用される第１カラー画像データと第２の画像機器で使用される第２カラー画像データとの対応関係を規定した各参照点における変換後の階調データを有する色変換テーブルデータを記録したコンピュータ読み取り可能な記録媒体であって，
　上記第１カラー画像データと上記第２カラー画像データとを対応づける色空間内の領域が限定されており，当該領域の範囲で上記各参照点における変換後の階調データの階調数を増加させてあることを特徴とする色変換テーブルデータを記録したコンピュータ読み取り可能な記録媒体。
【請求項１３】　第１の画像機器で使用される第１カラー画像データを第２の画像機器で使用される第２カラー画像データに変換する際に参照され，同第１カラー画像データと同第２カラー画像データとの対応関係を規定した各参照点における変換後の階調データを有するとともに所定の総情報量からなる色変換テーブルデータを記録したコンピュータ読み取り可能な記録媒体であって，
　上記各参照点を所定の色空間内の所定領域に分布させることによって上記所定の総情報量の限度内で上記各参照点における変換後の階調データの階調数を増加させたことを特徴とする色変換テーブルデータを記録したコンピュータ読み取り可能な記録媒体。
【請求項１４】　第１の画像機器で使用される第１カラー画像データと第２の画像機器で使用される第２カラー画像データとの対応関係を規定した各参照点における変換後の階調データを有する色変換テーブルを所定の記憶領域に予め記憶しておき，同色変換テーブルを参照して色変換を実行する色変換装置であって，
　上記第１カラー画像データと上記第２カラー画像データとを対応づける領域を色空間内の所定領域に限定することにより，当該領域の範囲で上記各参照点における変換後の階調データの階調数を増加させた色変換テーブルを参照して色変換を実行することを特徴とする色変換装置。
【請求項１５】　第１の画像機器の色データと第２の画像機器の色データとを複数の参照点について対応づけて各参照点における変換後の階調データを有するとともに所定の総情報量からなる色変換テーブルを参照して同第１の画像機器で使用される第１カラー画像データを同第２の画像機器で使用される第２カラー画像データに変換する色変換装置であって，
　所定の色空間内の所定領域に上記参照点を分布させることによって上記所定の総情報量の限度内で上記各参照点における変換後の階調データの階調数を増加させた色変換テーブルを参照して色変換を実行することを特徴とする色変換装置。
【請求項１６】　第１の画像機器で使用される第１カラー画像データと第２の画像機器で使用される第２カラー画像データとの対応関係を規定した各参照点における変換後の階調データを有する色変換テーブルを所定の記憶領域に予め記憶しておき，同色変換テーブルを参照して色変換を実行する色変換方法であって，
　上記第１カラー画像データと上記第２カラー画像データとを対応づける領域を色空間内の所定領域に限定することにより，当該領域の範囲で上記各参照点における変換後の階調データの階調数を増加させた色変換テーブルを参照して色変換を実行することを特徴とする色変換方法。
【請求項１７】　第１の画像機器の色データと第２の画像機器の色データとを複数の参照点について対応づけて各参照点における変換後の階調データを有するとともに所定の総情報量からなる色変換テーブルを参照して同第１の画像機器で使用される第１カラー画像データを同第２の画像機器で使用される第２カラー画像データに変換する色変換方法であって，
　所定の色空間内の所定領域に上記参照点を分布させることによって上記所定の総情報量の限度内で上記各参照点における変換後の階調データの階調数を増加させた色変換テーブルを参照して色変換を実行することを特徴とする色変換方法。
【請求項１８】　第１の画像機器で使用される第１カラー画像データと第２の画像機器で使用される第２カラー画像データとの対応関係を規定した各参照点における変換後の階調データを有する色変換テーブルを所定の記憶領域に予め記憶しておき，同色変換テーブルを参照して色変換を実行する色変換機能をコンピュータに実現させる色変換プログラムであって，
　上記色変換機能は，上記第１カラー画像データと上記第２カラー画像データとを対応づける領域を色空間内の所定領域に限定することにより，当該領域の範囲で上記各参照点における変換後の階調データの階調数を増加させた色変換テーブルを参照して色変換を実行することを特徴とする色変換プログラム。
【請求項１９】　第１の画像機器の色データと第２の画像機器の色データとを複数の参照点について対応づけて各参照点における変換後の階調データを有するとともに所定の総情報量からなる色変換テーブルを参照して同第１の画像機器で使用される第１カラー画像データを同第２の画像機器で使用される第２カラー画像データに変換する色変換機能をコンピュータに実現させる色変換プログラムであって，
　上記色変換機能は，所定の色空間内の所定領域に上記参照点を分布させることによって上記所定の総情報量の限度内で上記各参照点における変換後の階調データの階調数を増加させた色変換テーブルを参照して色変換を実行することを特徴とする色変換プログラム。
【請求項２０】　第１の画像機器で使用される第１カラー画像データと第２の画像機器で使用される第２カラー画像データとの対応関係を規定した各参照点における変換後の階調データを有する色変換テーブルであって，
　上記第１カラー画像データと上記第２カラー画像データとを対応づける色空間内の領域が限定されており，当該領域の範囲で上記各参照点における変換後の階調データの階調数を増加させてあることを特徴とする色変換テーブル。
【請求項２１】　第１の画像機器で使用される第１カラー画像データを第２の画像機器で使用される第２カラー画像データに変換する際に参照され，同第１カラー画像データと同第２カラー画像データとの対応関係を規定した各参照点における変換後の階調データを有するとともに所定の総情報量からなる色変換テーブルであって，
　上記各参照点を所定の色空間内の所定領域に分布させることによって上記所定の総情報量の限度内で上記各参照点における変換後の階調データの階調数を増加させたことを特徴とする色変換テーブル。」
　
（２）　本件補正後の特許請求の範囲
　本件補正により，特許請求の範囲の記載は，次のとおり補正された。
　
「【請求項１】　第１の画像機器で使用される第１カラー画像データと第２の画像機器で使用される第２カラー画像データとの対応関係を規定した各参照点における変換後の階調データを有する色変換テーブルを所定の記憶領域に予め記憶しておき，同色変換テーブルを参照して色変換を実行する色変換機能をコンピュータに実現させる色変換プログラムを記録したコンピュータ読み取り可能な記録媒体であって，
　上記色変換機能は，上記第１カラー画像データと上記第２カラー画像データとを対応づける領域を色空間内のグレー軸を含む所定モノクロ領域に限定し，当該グレー軸の両端に近づくほど上記参照点同士の間隔を狭くすることにより，当該所定モノクロ領域の範囲で当該各参照点における変換後の階調データの階調数を増加させて２５６階調よりも大きくした色変換テーブルを参照して色変換を実行することを特徴とする色変換プログラムを記録したコンピュータ読み取り可能な記録媒体。
【請求項２】　第１の画像機器の色データと第２の画像機器の色データとを複数の参照点について対応づけて各参照点における変換後の階調データを有するとともに所定の総情報量からなる色変換テーブルを参照して同第１の画像機器で使用される第１カラー画像データを同第２の画像機器で使用される第２カラー画像データに変換する色変換機能をコンピュータに実現させる色変換プログラムを記録したコンピュータ読み取り可能な記録媒体であって，
　上記色変換機能は，所定の色空間内のグレー軸を含む所定モノクロ領域に当該グレー軸の両端に近づくほど上記参照点同士の間隔を狭くして上記参照点を分布させることによって上記所定の総情報量の限度内で当該各参照点における変換後の階調データの階調数を増加させて２５６階調よりも大きくした色変換テーブルを参照して色変換を実行することを特徴とする色変換プログラムを記録したコンピュータ読み取り可能な記録媒体。
【請求項３】　上記参照点は，上記色空間内の上記グレー軸周りに数個〜十数個分布することを特徴とする上記請求項１または請求項２に記載の色変換プログラムを記録したコンピュータ読み取り可能な記録媒体。
【請求項４】　上記参照点は，上記色空間内の上記グレー軸から所定階調値以内に分布することを特徴とする上記請求項１〜請求項３のいずれか一項に記載の色変換プログラムを記録したコンピュータ読み取り可能な記録媒体。
【請求項５】　上記参照点は，上記色空間内を分割して形成した立方格子点について上記所定モノクロ領域以外の格子点を間引いて形成されることを特徴とする上記請求項１〜請求項４のいずれか一項に記載の色変換プログラムを記録したコンピュータ読み取り可能な記録媒体。
【請求項６】　上記第２の画像機器は印刷装置であり，上記第２カラー画像データは当該印刷装置におけるインク吐出量を規定するデータであることを特徴とする上記請求項１〜請求項５のいずれか一項に記載の色変換プログラムを記録したコンピュータ読み取り可能な記録媒体。
【請求項７】　第１の画像機器で使用される第１カラー画像データと第２の画像機器で使用される第２カラー画像データとの対応関係を規定した各参照点における変換後の階調データを有する色変換テーブルデータを記録したコンピュータ読み取り可能な記録媒体であって，
　上記第１カラー画像データと上記第２カラー画像データとを対応づける色空間内の領域が当該色空間内のグレー軸を含む所定モノクロ領域に限定され，当該グレー軸の両端に近づくほど上記参照点同士の間隔が狭くされており，当該所定モノクロ領域の範囲で当該各参照点における変換後の階調データの階調数を増加させて２５６階調よりも大きくしてあることを特徴とする色変換テーブルデータを記録したコンピュータ読み取り可能な記録媒体。
【請求項８】　第１の画像機器で使用される第１カラー画像データを第２の画像機器で使用される第２カラー画像データに変換する際に参照され，同第１カラー画像データと同第２カラー画像データとの対応関係を規定した各参照点における変換後の階調データを有するとともに所定の総情報量からなる色変換テーブルデータを記録したコンピュータ読み取り可能な記録媒体であって，
　上記各参照点を所定の色空間内のグレー軸を含む所定モノクロ領域に当該グレー軸の両端に近づくほど上記参照点同士の間隔が狭くなるように分布させることによって上記所定の総情報量の限度内で当該各参照点における変換後の階調データの階調数を増加させて２５６階調よりも大きくしたことを特徴とする色変換テーブルデータを記録したコンピュータ読み取り可能な記録媒体。
【請求項９】　第１の画像機器で使用される第１カラー画像データと第２の画像機器で使用される第２カラー画像データとの対応関係を規定した各参照点における変換後の階調データを有する色変換テーブルを所定の記憶領域に予め記憶しておき，同色変換テーブルを参照して色変換を実行する色変換装置であって，
　上記第１カラー画像データと上記第２カラー画像データとを対応づける領域を色空間内のグレー軸を含む所定モノクロ領域に限定し，当該グレー軸の両端に近づくほど上記参照点同士の間隔を狭くすることにより，当該所定モノクロ領域の範囲で当該各参照点における変換後の階調データの階調数を増加させて２５６階調よりも大きくした色変換テーブルを参照して色変換を実行することを特徴とする色変換装置。
【請求項１０】　第１の画像機器の色データと第２の画像機器の色データとを複数の参照点について対応づけて各参照点における変換後の階調データを有するとともに所定の総情報量からなる色変換テーブルを参照して同第１の画像機器で使用される第１カラー画像データを同第２の画像機器で使用される第２カラー画像データに変換する色変換装置であって，
　所定の色空間内のグレー軸を含む所定モノクロ領域に当該グレー軸の両端に近づくほど上記参照点同士の間隔を狭くして上記参照点を分布させることによって上記所定の総情報量の限度内で当該各参照点における変換後の階調データの階調数を増加させて２５６階調よりも大きくした色変換テーブルを参照して色変換を実行することを特徴とする色変換装置。
【請求項１１】　第１の画像機器で使用される第１カラー画像データと第２の画像機器で使用される第２カラー画像データとの対応関係を規定した各参照点における変換後の階調データを有する色変換テーブルを所定の記憶領域に予め記憶しておき，同色変換テーブルを参照して色変換を実行する色変換方法であって，
　上記第１カラー画像データと上記第２カラー画像データとを対応づける領域を色空間内のグレー軸を含む所定モノクロ領域に限定し，当該グレー軸の両端に近づくほど上記参照点同士の間隔を狭くすることにより，当該所定モノクロ領域の範囲で当該各参照点における変換後の階調データの階調数を増加させて２５６階調よりも大きくした色変換テーブルを参照して色変換を実行することを特徴とする色変換方法。
【請求項１２】　第１の画像機器の色データと第２の画像機器の色データとを複数の参照点について対応づけて各参照点における変換後の階調データを有するとともに所定の総情報量からなる色変換テーブルを参照して同第１の画像機器で使用される第１カラー画像データを同第２の画像機器で使用される第２カラー画像データに変換する色変換方法であって，
　所定の色空間内のグレー軸を含む所定モノクロ領域に当該グレー軸の両端に近づくほど上記参照点同士の間隔を狭くして上記参照点を分布させることによって上記所定の総情報量の限度内で当該各参照点における変換後の階調データの階調数を増加させて２５６階調よりも大きくした色変換テーブルを参照して色変換を実行することを特徴とする色変換方法。
【請求項１３】　第１の画像機器で使用される第１カラー画像データと第２の画像機器で使用される第２カラー画像データとの対応関係を規定した各参照点における変換後の階調データを有する色変換テーブルを所定の記憶領域に予め記憶しておき，同色変換テーブルを参照して色変換を実行する色変換機能をコンピュータに実現させる色変換プログラムであって，
　上記色変換機能は，上記第１カラー画像データと上記第２カラー画像データとを対応づける領域を色空間内のグレー軸を含む所定モノクロ領域に限定し，当該グレー軸の両端に近づくほど上記参照点同士の間隔を狭くすることにより，当該所定モノクロ領域の範囲で当該各参照点における変換後の階調データの階調数を増加させて２５６階調よりも大きくした色変換テーブルを参照して色変換を実行することを特徴とする色変換プログラム。
【請求項１４】　第１の画像機器の色データと第２の画像機器の色データとを複数の参照点について対応づけて各参照点における変換後の階調データを有するとともに所定の総情報量からなる色変換テーブルを参照して同第１の画像機器で使用される第１カラー画像データを同第２の画像機器で使用される第２カラー画像データに変換する色変換機能をコンピュータに実現させる色変換プログラムであって，
　上記色変換機能は，所定の色空間内のグレー軸を含む所定モノクロ領域に当該グレー軸の両端に近づくほど上記参照点同士の間隔を狭くして上記参照点を分布させることによって上記所定の総情報量の限度内で当該各参照点における変換後の階調データの階調数を増加させて２５６階調よりも大きくした色変換テーブルを参照して色変換を実行することを特徴とする色変換プログラム。
【請求項１５】　第１の画像機器で使用される第１カラー画像データと第２の画像機器で使用される第２カラー画像データとの対応関係を規定した各参照点における変換後の階調データを有する色変換テーブルであって，
　上記第１カラー画像データと上記第２カラー画像データとを対応づける色空間内の領域が当該色空間内のグレー軸を含む所定モノクロ領域に限定され，当該グレー軸の両端に近づくほど上記参照点同士の間隔が狭くされており，当該所定モノクロ領域の範囲で当該各参照点における変換後の階調データの階調数を増加させて２５６階調よりも大きくしてあることを特徴とする色変換テーブル。
【請求項１６】　第１の画像機器で使用される第１カラー画像データを第２の画像機器で使用される第２カラー画像データに変換する際に参照され，同第１カラー画像データと同第２カラー画像データとの対応関係を規定した各参照点における変換後の階調データを有するとともに所定の総情報量からなる色変換テーブルであって，
　上記各参照点を所定の色空間内のグレー軸を含む所定モノクロ領域に当該グレー軸の両端に近づくほど上記参照点同士の間隔が狭くなるように分布させることによって上記所定の総情報量の限度内で当該各参照点における変換後の階調データの階調数を増加させて２５６階調よりも大きくしたことを特徴とする色変換テーブル。」
　
（３）補正の適否についての判断
　本件補正が，平成１８年法律第５５号改正附則第３条第１項によりなお従前の例によるとされる同法による改正前の特許法（以下，「平成１８年法改正前特許法」という。）第１７条の２第４項各号に規定される事項を満たすものであるか，検討する。
　
（３−１）第１号（請求項の削除）について
　本件補正後の請求項に１ないし１６係る発明は，本件補正前のいずれの請求項に係る発明とも同一ではないから，本件補正は，削除を目的とした補正を行った結果，請求項の番号が変更されたものでないことは明らかである。
　よって，本件補正は，平成１８年法改正前特許法第１７条の２第４項第１号（請求項の削除）に規定される事項を目的とするものではない。
　
（３−２）第２号（特許請求の範囲の減縮）について
　請求項１，７，９，１１，１３，１５に関する本件補正のうち，本件補正前の請求項１，１２，１４，１６，１８，２０に記載された「色空間内の領域」を「当該色空間内のグレー軸を含む所定モノクロ領域」に，同じく「階調数」を「２５６階調よりも大きくしてあること」に補正する点は，補正前の各事項を概念的により下位の事項に限定するものであるから，限定的減縮に該当する。しかし，請求項１，７，９，１１，１３，１５に関する本件補正のうち，「グレー軸の両端に近づくほど上記参照点同士の間隔が狭く」との事項を付加する点は，色変換テーブルの参照点同士の間隔設定という，技術的に新たな概念を追加するものであって，本件補正前のいずれの請求項に記載されたいずれの事項を限定するものともいえないから，限定的減縮に該当しない。
　よって，本件補正は，少なくとも前記の点で，本件補正前の請求項１ないし１９のいずれかに係る発明を特定するために必要な事項を限定するものではないから，平成１８年法改正前特許法第１７条の２第４項第２号（特許請求の範囲の減縮）に規定される事項を目的としたものとはいえない。
　
（３−３）第３号（誤記の訂正），第４号（明りょうでない記載の釈明（拒絶理由通知に係る拒絶の理由に示す事項についてするものに限る。））について
　本件補正前の請求項の記載において誤記は存在せず，また拒絶査定において記載不備が指摘されたものでもないから，本件補正は，平成１８年法改正前特許法第１７条の２第４項第３号（誤記の訂正），平成１８年法改正前特許法第１７条の２第４項第４号（明りょうでない記載の釈明（拒絶理由通知に係る拒絶の理由に示す事項についてするものに限る。））に規定される事項を目的としたものではない。
　
（４）本件補正についてのむすび
　以上のとおり，本件補正は，平成１８年法改正前特許法第１７条の２第４項の規定に違反するので，同法第１５９条第１項において読み替えて準用する同法第５３条第１項の規定により却下すべきものである。
　
（５）付記
　なお，仮に，本件補正が，特許請求の範囲の減縮を目的とするものに該当するとした場合について，本件補正後の特許請求の範囲の請求項に記載された発明が特許出願の際独立して特許を受けることができるものであるか（平成１８年改正前特許法第１７条の２第５項において準用する同法第１２６条第５項の規定に適合するか），以下に検討しておく。
　
ア　補正後の本願発明
　本件補正後の本願の発明は，平成２０年１１月２１日付けで補正された特許請求の範囲の請求項１ないし１６に記載された事項により特定されるとおりのものと認められるところ，その請求項１５に記載された発明（以下，「本願補正発明」という。）は，次のとおりのものである。
　
「【請求項１５】　第１の画像機器で使用される第１カラー画像データと第２の画像機器で使用される第２カラー画像データとの対応関係を規定した各参照点における変換後の階調データを有する色変換テーブルであって，
　上記第１カラー画像データと上記第２カラー画像データとを対応づける色空間内の領域が当該色空間内のグレー軸を含む所定モノクロ領域に限定され，当該グレー軸の両端に近づくほど上記参照点同士の間隔が狭くされており，当該所定モノクロ領域の範囲で当該各参照点における変換後の階調データの階調数を増加させて２５６階調よりも大きくしてあることを特徴とする色変換テーブル。」
　
イ　引用例
　原査定の拒絶の理由として引用された本願の優先権主張日前に頒布された刊行物である特開平１０−１３６２１６号公報（以下，「引用例３」という。）には，次の事項が図面と共に開示されている。（記載箇所は段落番号等で表示）
　
（ア）「【００４１】本実施の形態の例えばカラー複写機，カラープリンタ及びカラーファクシミリ等のカラー画像処理装置は，図２に示すように，原画の画像情報を入力するための入力手段としての入力装置１と，入力された画像情報の色データを修正するための色修正手段としての色修正装置２と，色修正された色データを含む画像情報を出力して複製画を得るための出力手段としての出力装置３とを備えている。
【００４２】上記の入力装置１は，原画を読取るための例えば図示しないカラースキャナを備えており，このカラースキャナにてカラーの原画を光走査してＲ（赤），Ｇ（緑）及びＢ（青）のデジタルの色分解信号（以下，「ＲＧＢ信号」と称する）を得るようになっている。なお，このカラースキャナは，光走査した原画からＲＧＢについて各２５６段階のデジタル信号に色分解するようになっている。
【００４３】上記の出力装置３は，例えば図示しないカラーハードコピー装置を備え，このカラーハードコピー装置にてＣ（シアン），Ｍ（マゼンタ），Ｙ（イエロー），〔又はＫ（ブラック）〕の濃度信号（以下，「ＣＭＹ（Ｋ）信号」と称する）に基づいて，画像を出力し得るようになっている。なお，このカラーハードコピー装置は，ＣＭＹ（Ｋ）の各色インクを使用して各２５６段階のデジタル濃度でプリントアウトするものとなっている。
【００４４】次に，上記の色修正装置２は，図３に示すように，ＲＧＢによる色分解信号空間を格子状に分割して第１格子１０とし，この第１格子１０の各格子点の座標つまり色修正データである各単位立体の頂点の座標をテーブルとしてのルックアップテーブルとして用意し，ＲＧＢについて３次元補間を行うことによって色修正信号ＣＭＹ（Ｋ）を決定するものである。なお，ルックアップテーブルは図示しないＲＡＭ（Random Access Memory) に格納されている。また，上記の分割された第１格子１０とその各単位立体の頂点の座標を格納したルックアップテーブルは，第１格子手段としての機能を有している。
【００４５】次に，特定の色として例えば肌色を高精度に色修正したい場合のために，予め肌色に相当するＲＧＢ信号を含む特定の単位立体１１をさらに格子状に分割して第２格子２０とし，この第２格子２０のそれぞれの格子点の座標もルックアップテーブルに追加格納しておく。なお，この第２格子２０とその格子点の座標のルックアップテーブルは，第２格子手段としての機能を有している。
【００４６】ここで，同図に示す例においては，第１格子１０はＲＧＢによる色分解信号空間が各５分割されたものとなっており，第２格子２０は各４分割されたものとなっているので，６×６×６＋５×５×５−８＝３３３個のデータからなるルックアップテーブルを持つことになる。」
　
（イ）「【００５９】ここで，再び図１のフローチャートに戻る。図１のＳ３において，ＲＧＢ信号が特定単位立体１１の内部に存在すれば，特定単位立体１１の内部でその特定単位立体１１を分割した第２格子２０の内部のいずれの単位立体に存在するかを判別する（Ｓ７）。次いで，そのＲＧＢ信号が内部に存在する第２格子２０の各単位立体における格子頂点の座標のルックアップテーブルを選択し（Ｓ８），このテーブルデータの値により３次元補間に基づく色修正をする（Ｓ９）。このときの３次元補間としては，上記のプリズム補間よりも処理速度は遅くなるが，より精度の高い立方体補間を使用する。次いで，色修正された画像データは，Ｓ６に移行して，出力装置３にて出力される（Ｓ６）。
【００６０】このように，本実施の形態では，特定単位立体１１については，特定単位立体１１を除く他の単位立体で使用する補間方法よりも精度の高い補間方法を使用する。このため，特定単位立体１１のＲＧＢ信号に対して，座標間の距離が小さくなるので，変換精度が低減することになる。
【００６１】なお，本実施の形態では，特定単位立体１１における第２格子２０の単位立体に対して立方体補間を用いているが，必ずしもこれに限らず，例えば，第２格子２０の単位立体の内部に属するＲＧＢ信号に対していかなる補間方法を使用しても精度が十分となる場合には，４面体補間法を用いることが可能であり，これによって，処理速度を速めることができる。
【００６２】以上のように，本実施の形態のカラー画像処理装置では，画像情報の各ＲＧＢ色分解信号に基づく入力色データは，色分解信号空間を格子状に分割したいずれかの単位立体内に属することになる。ここで，例えば肌色を精度良く出力したい場合には，予め，この肌色を含む単位立体を特定単位立体１１に設定しておく。
【００６３】これによって，特定単位立体１１は，さらに格子状に分割され第２格子２０として，格子点の座標がルックアップテーブルに追加格納される。
【００６４】したがって，入力色データがこの特定単位立体１１内に属する場合には，第１格子１０よりも細かい第２格子２０の内のいずれの単位立体に属するか否かが判断され，その細かい格子の単位立体の頂点の座標である第２格子２０のテーブルデータにて色修正が行われる。」
　
（ウ）「【０１１８】本実施の形態のカラー画像処理装置では，図８に示すように，白，黒及び灰色等の無彩色を高精度に色修正するために，複数の特定単位立体７１〜７５が設けられており，それぞれさらにいくつかの図示しない格子に分割され，その格子点もルックアップテーブルに追加されている。なお，これら特定単位立体７１〜７５は，Ｒ＝Ｇ＝Ｂ＝０の黒とＲ＝Ｇ＝Ｂ＝２５５の白の色信号とを結ぶ線分を含むように構成されている。
【０１１９】このように，本実施の形態のカラー画像処理装置では，複数の特定単位立体７１〜７５は，無彩色を含む単位立体であるので，白，黒及び灰色から構成される無彩色を高精度に出力したい場合に好適である。これによって，無彩色の変換誤差が低減し，精度良く再現されることになる。したがって，白黒多値画像の色修正を高精度に行うことが可能となる。」
　
　前掲（ア）ないし（ウ）の記載及び図面によると，引用例１には以下の発明（以下，「引用発明」という。）が記載されていると認められる。
　
　原画の画像情報を入力するための入力装置と，入力された画像情報の色データを修正するための色修正装置と，色修正された色データを含む画像情報を出力するための出力装置とを備えたカラー画像処理装置に用いられるルックアップテーブルにおいて，
　前記カラースキャナは，カラーの原画を走査してＲＧＢ信号を得るものであり，
　色修正装置は，ＲＧＢによる色分解信号空間を格子状に分割して第１格子とし，この第１格子の各格子点の座標をルックアップテーブルに格納するとともに，第１格子の単位立体のうち，特定の色に相当するＲＧＢ信号を含む特定単位立体をさらに格子状に分割して第２格子とし，この第２格子のそれぞれの格子点の座標をルックアップテーブルに格納しておき，カラースキャナで得られたＲＧＢ信号が前記特定単位立体の内部に存在する場合，そのＲＧＢ信号が内部に存在する第２格子の単位立体における格子頂点の座標のルックアップテーブルを選択し，そのテーブルデータの値により３次元補間を行うことによってＣＭＹ（Ｋ）信号を決定するものであり，
　カラーハードコピー装置は，ＣＭＹ（Ｋ）信号に基づいて，画像を出力し得るものであって，
　前記第２格子として，白，黒及び灰色等の無彩色を高精度に色修正するために，複数の特定単位立体が設けられ，その各格子点が格納されており，前記特定単位立体は，Ｒ＝Ｇ＝Ｂ＝０の黒とＲ＝Ｇ＝Ｂ＝２５５の白信号とを結ぶ線分を含むように構成されているルックアップテーブル。
　
　同じく，原査定の拒絶の理由で引用された本願の優先権主張日前に頒布された刊行物である特開平１０−２７６３３７号公報（以下，「引用例２」という。）には次の事項が図面と共に開示されている。（記載箇所は段落番号等で表示）
　
（エ）「【００２２】画像入力装置１１は，画像読取手段としてカラースキャナを備えており，カラー原画像を走査してＲ（赤），Ｇ（緑），Ｂ（青）の色分解信号（以下，ＲＧＢ信号という。）を得る。このカラースキャナは，走査した原画像をＲＧＢの各色について少なくとも２５６階調に色分解することができる。
【００２３】画像出力装置１３は，出力手段としてカラープリンタを備えており，Ｃ（シアン），Ｍ（マゼンタ），Ｙ（イエロー），〔Ｋ（ブラック）〕の濃度信号（以下，ＣＭＹ（Ｋ）信号という。）に基づいて画像を得る。このカラープリンタは，ＣＭＹ（Ｋ）の３（４）色のインクを使用して各２５６階調以上の濃度で画像を出力する。」
　
　同じく，当審判合議体において新たに引用する本願の優先権主張日前に頒布された刊行物である特開２００１−８０４４号公報（以下，「引用例５」という。）には次の事項が図面と共に開示されている。（記載箇所は段落番号等で表示）
　
（オ）「【００１３】また，画像出力機器の色再現可能領域が入力データの色領域よりも狭い場合，入力データの色領域を画像出力機器の色再現可能領域内に押し込める必要がある。この場合，各色成分の高濃度部分，低輝度部分，あるいは，低濃度部分，高輝度部分に，再現不可能領域の色を押し込めたための非線形性が強く現れる。非線形性が高い場合には（式１）の線形補間では誤差が大きくなってしまう。そのため，高濃度部分，低輝度部分，あるいは，低濃度部分，高輝度部分では，格子点間隔を狭くして誤差を小さくすることが有効である。」
　
ウ　対比
　本願補正発明と引用発明とを対比する。
　引用発明の「カラースキャナ」は，本願補正発明の「第１の画像機器」に相当する。
　引用発明の「ＲＧＢ信号」は，カラースキャナで使用されるものであるから，本願補正発明の「第１カラー画像データ」に相当する。
　引用発明の「カラーハードコピー装置」は，本願補正発明の「第２の画像機器」に相当する。
　引用発明の「ＣＭＹ（Ｋ）信号」は，カラーハードコピー機で使用されるものであるから，本願補正発明の「第２カラー画像データ」に相当する。
　引用発明の「格子点」は，本願補正発明の「参照点」に相当する。
　引用発明の「テーブルデータの値」は，本願補正発明の「変換後の階調データ」に相当する。
　引用発明において，「第２格子」が格納された「ルックアップテーブル」は，本願補正発明の「色変換テーブル」に相当する。
　引用発明の「ルックアップテーブル」は，カラースキャナで使用されるＲＧＢ信号に応じた座標値と，その座標値に対応したカラーハードコピー機で使用されるＣＭＹ（Ｋ）信号となるテーブルデータの値を記憶したものといえるから，本願補正発明の「第１の画像機器で使用される第１カラー画像データと第２の画像機器で使用される第２カラー画像データとの対応関係を規定した各参照点における変換後の階調データを有する色変換テーブル」に相当する。
　
　引用発明の「色分解信号空間」は，本願補正発明の「色空間」に相当する。
　引用発明の「Ｒ＝Ｇ＝Ｂ＝０の黒とＲ＝Ｇ＝Ｂ＝２５５の白信号とを結ぶ線分」は，本願補正発明の「グレー軸」に相当する。
　引用発明の「複数の特定単位立体」は，ＲＧＢ空間上で，Ｒ＝Ｇ＝Ｂ＝０の黒とＲ＝Ｇ＝Ｂ＝２５５の白信号とを結ぶ線分を含むものであるから，本願補正発明の「色空間内のグレー軸を含む所定モノクロ領域」に相当する。
　引用発明の「第２格子」を格納した「ルックアップテーブル」は，Ｒ＝Ｇ＝Ｂ＝０の黒とＲ＝Ｇ＝Ｂ＝２５５の白信号とを結ぶ線分を含んだ特定単位立体に関して格子点を格納したものであるから，本願補正発明の「第１カラー画像データと上記第２カラー画像データとを対応づける色空間内の領域が当該色空間内のグレー軸を含む所定モノクロ領域に限定され」たものであることに相当する。
　
　以上を踏まえると，両者の一致点，相違点は以下のとおりである。
　
【一致点】
　第１の画像機器で使用される第１カラー画像データと第２の画像機器で使用される第２カラー画像データとの対応関係を規定した各参照点における変換後の階調データを有する色変換テーブルであって，
　上記第１カラー画像データと上記第２カラー画像データとを対応づける色空間内の領域が当該色空間内のグレー軸を含む所定モノクロ領域に限定されている色変換テーブル。
　
【相違点】
ａ　本願補正発明は「グレー軸の両端に近づくほど上記参照点同士の間隔が狭くされて」いるのに対し，引用発明は不明である点。
　
ｂ　本願補正発明は「所定モノクロ領域の範囲で当該各参照点における変換後の階調データの階調数を増加させて２５６階調よりも大きくしてある」のに対し，引用発明はテーブルデータの値の階調数が特定されていない点。
　
エ　当審の判断
　上記相違点ａについて検討する。
　引用例５には，その従来例として，画像出力機器の色再現可能領域が入力データの色領域よりも狭い場合，入力データの色領域を画像出力機器の色再現可能領域内に押し込める必要があるため，非線形性が高い低輝度部分，高輝度部分においては，色補正テーブルの格子点間隔を狭く設定することが記載されており（前掲「イ（オ）」参照），黒がＲＧＢの各信号が最小値となる低輝度部分，白がＲＧＢの各色信号が最大値となる高輝度部分であることは明らかである。
　引用発明において，カラーハードコピー機の色再現可能領域とカラースキャナの色領域とは相違するのが普通であり，カラーハードコピー機の色再現可能領域がカラースキャナの色領域よりも狭い場合，黒つまりグレー軸の低輝度部分，及び白つまり高輝度部分の色修正に用いられる第２格子の格子点間隔を狭く設定することに困難な点はない。
　
　上記相違点ｂについて検討する。
　変換後の階調データを何階調とするかは，出力装置に応じて適宜設定すればよく，また出力装置の階調数を２５６階調以上とすることは，例えば，引用例２に記載されているように周知である（前掲「イ（エ）」参照）。
　引用発明のカラーハードコピー機の階調数が２５６階調以上である場合に，第２格子のテーブルデータの値を２５６階調より大きくすることに困難な点はない。
　
　そして，これら相違点を総合的に考慮してみても当業者が推考し難い格別のものであるとすることはできず，本願補正発明の奏する効果を検討してみても，引用発明，引用例５に記載の技術事項及び引用例２に記載された周知技術から想定される範囲を越えるものではない。
　
　よって，本願補正発明は，引用発明，引用例５に記載の技術事項及び引用例２に記載された周知技術に基づいて，当業者が容易に発明をすることができたものであるから，特許法２９条第２項の規定により特許出願の際独立して特許を受けることができないものである。
　そして，特許出願の際独立して特許を受けることができないものであるから，仮に，本件補正が，特許請求の範囲の減縮を目的とするものに該当するとしても，平成１８年法改正前特許法第１７条の２第５項において準用する同法第１２６条第５項の規定に違反するので，同法第１５９条第１項において読み替えて準用する同法第５３条第１項の規定により却下すべきものである。
　
第３　本願発明について
１　本願発明
　平成２０年１１月２１日付けの手続補正は上記のとおり却下されたので，本願の特許請求の範囲の請求項に係る発明は，平成２０年２月２９日付けで補正された特許請求の範囲の請求項１ないし２１に記載された事項により特定されるものと認められるところ，その請求項２０に係る発明（以下，「本願発明」という。）は，次のとおりのものである。
　なお，平成２０年６月１６日付けの手続補正は平成２０年１０月８日付けで却下されている。
　
「【請求項２０】　第１の画像機器で使用される第１カラー画像データと第２の画像機器で使用される第２カラー画像データとの対応関係を規定した各参照点における変換後の階調データを有する色変換テーブルであって，
　上記第１カラー画像データと上記第２カラー画像データとを対応づける色空間内の領域が限定されており，当該領域の範囲で上記各参照点における変換後の階調データの階調数を増加させてあることを特徴とする色変換テーブル。」
　
　なお，当該請求項２０に係る発明は，平成２０年１１月２１日付けの手続補正における請求項１５に係る発明に対応する発明である。
　
２　引用例
　引用例３及びその記載事項は，前記「第２　２（５）イ」の項で認定したとおりである。
　
３　対比・判断
　本願発明は，前記「第２」で検討した本願補正発明から，「色空間内の領域」を「当該色空間内のグレー軸を含む所定モノクロ領域」，「階調数」を「２５６階調よりも大きくしてあること」とする限定事項，及び「グレー軸の両端に近づくほど上記参照点同士の間隔が狭く」との追加事項を省いたものである。
　そうすると，本願発明の発明特定事項をすべて含み，さらに発明特定事項を限定したものに相当する本願補正発明が前記「第２　２（５）ウ」，「第２　２（５）エ」に記載したとおり，引用例３，引用例２及び引用例５に記載された発明に基づいて，当業者が容易に発明をすることができたものであって，当審判合議体で新たに引用した引用例５に関係する「グレー軸の両端に近づくほど上記参照点同士の間隔が狭く」との追加事項は，本願発明においては存在しないから，本願発明は，同様の理由により，引用例３に記載された発明及び引用例２に記載された周知技術に基づいて，当業者が容易に発明することができたものである。
　
４　むすび
　以上のとおり，本願発明は，引用例３に記載された発明及び引用例２に記載された周知術に基づいて，当業者が容易に発明をすることができたものであるから，特許法第２９条第２項の規定により特許を受けることができない。
　したがって，本願は，他の請求項について検討するまでもなく，拒絶すべきものである。
　よって，結論のとおり審決する。